(57)【特許請求の範囲】
【請求項１】
プロジェクタなどの高さ又は角度を調節するための調節脚装置であって、
接地端および該接地端から延出される軸部を有する脚部材と、
前記軸部を挿通させる孔を備えたケーシングと、
前記軸部の軸線に直交する第１の軸線に沿って、前記軸部に対して接離移動可能なるように前記ケーシングに摺合したロック部材と、
前記ロック部材を前記軸部に圧接する向きに付勢する付勢手段と、
前記第１の軸線回りに回動可能かつ前記第１の軸線方向に変位不能に前記ケーシングに対して設けられた操作部材と、
前記操作部材の回転に応じて、前記付勢手段の付勢力に抗して前記ロック部材を前記第１の軸線に沿って前記軸部から離間させるカム機構と
を有することを特徴とする調節脚装置。
【請求項２】
前記ロック部材は、前記第１の軸線方向において前記軸部と当接する部分と相反する部分から前記第１の軸線に沿って延出するロック部材軸部と、前記ロック部材軸部の先端部に設けられたブロック部とを備え、
前記付勢手段は、圧縮コイルばねであり、前記ケーシングと前記ブロック部との間に設けられ、前記ブロック部を前記第１の軸線に沿って前記軸部側へと付勢し、
前記操作部材は、前記ロック部材軸部に回転可能に支持されるとともに、前記ケーシングに前記第１の軸線方向に移動不能に係合し、
前記カム機構は、前記操作部材および前記ブロック部の前記第１の軸線方向において互いに対向する部分にそれぞれ形成され、互いに係合し合うカム山を備えていることを特徴とする、請求項１に記載の調節脚装置。
【請求項３】
前記ロック部材を前記軸部から離間した位置に保持するための保持手段を備えることを特徴とする、請求項１または請求項２に記載の調節脚装置。
【請求項４】
前記操作部材および前記ブロック部の前記カム山のそれぞれには、その前記第１の軸線方向における頂部に、前記第１の軸線に直交する平坦面がそれぞれ設けられ、前記ロック部材が前記軸部から離間した状態となる前記操作部材の所定の回転位置において、前記操作部材の前記カム山の前記平坦面と前記ブロック部の前記カム山の前記平坦面とが互いに当接し、前記ロック部材が前記軸部から離間した位置に保持されることを特徴とする、請求項３に記載の調整脚装置。
【発明の詳細な説明】
【０００１】
【発明の属する技術分野】
本発明は、例えばプロジェクタの光軸角度やデスクの天板の水平度を調節するための調節脚装置に関するものである。
【０００２】
【従来の技術】
プロジェクタの光軸角度やデスクの天板の水平度を調節するために、回転変位を長さ変位に変換するねじ手段などを脚部に組み込むことが一般に行われている。このような高さ調節脚の昇降ストロークは、雌ねじと雄ねじとの間の相対的な回転角度で定まる。
【０００３】
【発明が解決しようとする課題】
しかるに、例えばＩＳＯ規格に代表される如きねじの規格は、大荷重の静止支持を重視した摩擦角が得られるリード角となっているので、上記の如き高さ調節脚に用いるには一回転当たりのストロークが小さく、微細な調節を行うには適しているが、迅速な調節を行うには不満足な面があった。
【０００４】
ねじのリード角を所望に応じて適宜に設定することも考えられるが、規格外の特殊なねじを使うことは互換性や加工性の面から見てむしろデメリットの方が多く、得策とは言い難い。
【０００５】
本発明は、このような従来技術の問題点を解消するべく案出されたものであり、その主な目的は、一般規格のねじを用いた上で、簡単な操作で粗調整が行えるように改良された調節脚装置を提供することにある。
【０００６】
このような目的を果たすために、本発明では、プロジェクタなどの高さ又は角度を調節するための調節脚装置の構成を、接地端（実施の形態中の接地脚３）および該接地端から延出される軸部（実施の形態中のねじ軸５）を有する脚部材と、前記軸部を挿通させる孔（４）を備えたケーシング（２）と、前記軸部の軸線に直交する第１の軸線に沿って、前記軸部に対して接離移動可能なるように前記ケーシングに摺合したロック部材（１０）と、前記ロック部材を前記軸部に圧接する向きに付勢する付勢手段（実施の形態中の圧縮コイルばね９）と、前記第１の軸線回りに回動可能かつ前記第１の軸線方向に変位不能に前記ケーシングに対して設けられた操作部材（実施の形態中の操作レバー６）と、前記操作部材の回転に応じて、前記付勢手段の付勢力に抗して前記ロック部材を第１の軸線に沿って軸部から離間させるカム機構（１８）とを有することを特徴とするものとした。これによれば、通常はロック部材に加わる圧接力で軸部の位置が保持される。そして操作部材を操作してロック部材を軸部から離間させることにより、軸部の位置調節を自由に行うことができる。また、ロック部材を軸部から離間させる操作を簡略化できる。また、操作力の方向を脚部材に加わる荷重の方向に一致させることができる。
【０００７】
また、ロック部材は、第１の軸線方向において前記軸部と当接する部分と相反する部分から前記第１の軸線に沿って延出するロック部材軸部（実施の形態中の水平軸１２）と、前記ロック部材軸部の先端部に設けられたブロック部（実施の形態中のスライドブロック８）とを備え、前記付勢手段は、圧縮コイルばね（９）であり、前記ケーシングと前記ブロック部との間に設けられ、前記ブロック部を前記第１の軸線に沿って前記軸部側へと付勢し、前記操作部材は、前記ロック部材軸部に回転可能に支持されるとともに、前記ケーシングに前記第１の軸線方向に移動不能に係合し、前記カム機構は、前記操作部材および前記ブロック部の前記第１の軸線方向において互いに対向する部分にそれぞれ形成され、互いに係合し合うカム山（１６，１７）を備えていることを特徴とする。
【０００８】
更に加えて、ロック部材を軸部から離間した位置に保持するための保持手段を備えるものとした。これにより、操作部材から手を離しても、軸部のフリー状態を維持することができる。また、前記操作部材および前記ブロック部の前記カム山のそれぞれには、その前記第１の軸線方向における頂部に、前記第１の軸線に直交する平坦面（１６ａ，１７ａ）がそれぞれ設けられ、前記ロック部材が前記軸部から離間した状態となる前記操作部材の所定の回転位置において、前記操作部材の前記カム山の前記平坦面と前記ブロック部の前記カム山の前記平坦面とが互いに当接し、前記ロック部材が前記軸部から離間した位置に保持されることを特徴とする。
【０００９】
【発明の実施の形態】
以下に添付の図面を参照して本発明について詳細に説明する。
【００１０】
図１は、本発明に基づき構成された調節脚装置の全体を示している。この調節脚装置１は、プロジェクタなどの機器の筐体の底部に固定されるものであり、筐体に固定されるケーシング２と、その下端に接地脚３が取り付けられた上でケーシング２に設けられた縦孔４に挿通されたねじ軸５と、後記するねじ軸のロック状態を解除するための操作レバー６とを備えている。
【００１１】
図２及び図３に併せて示すように、ケーシング２は、その中心軸線を水平方向に延在させた角筒状をなしており、その一端側に、垂直方向に摺動可能にねじ軸５を挿通する縦孔４が設けられている。またケーシング２内には、水平方向のガイド孔７が形成されており、スライドブロック８が摺動可能に保持されている。このスライドブロック８は、ガイド孔７の端壁との間に縮接された圧縮コイルばね９によって弾発付勢されている。
【００１２】
ねじ軸５には、ねじ軸５の雄ねじ５ａに対応する雌ねじ１０ａが形成された半円形をなすロック部材１０が当接し、ねじ軸５の雄ねじ５ａにロック部材１０の雌ねじ１０ａが噛み合うことにより、ねじ軸５の軸方向変位が規制されるようになっている。なお、ねじ軸５は、その上端に嵌着されたＥリング１１によってケーシング２からの抜け止めがなされている。
【００１３】
ロック部材１０の背面には、水平軸１２が延出されており、上記したスライドブロック８がその遊端に一体的に結合されている。つまりロック部材１０は、スライドブロック８と共にケーシング２内を水平方向に移動可能であり、且つ圧縮コイルばね９で弾発付勢されており、これによってねじ軸５の雄ねじ５ａに雌ねじ１０ａを常時噛み合わせている。
【００１４】
ロック部材１０の水平軸１２には、操作レバー６に一体形成された中心ボス１３が嵌着されている。この中心ボス１３は、軸方向移動不能に且つ所定角度範囲を回動可能なるように、ケーシング２のスロット１４に突起１５をもって係合しており、ケーシング２から突出した操作レバー６の操作によって回動し得るようになっている。
【００１５】
スライドブロック８と中心ボス１３との軸方向対向部には、図４並びに図５に示すように、円周方向に等間隔をおく複数の三角形の山１６・１７からなるカム機構１８が設けられている。これらスライドブロック８と中心ボス１３との山１６・１７同士は、互いに隙間無く合わさるようにされている（図４参照）。
【００１６】
次に本発明装置の操作要領について説明する。
【００１７】
通常は、スライドブロック８に加わる圧縮コイルばね９の弾発力でロック部材１０がねじ軸５に押し当てられているので、ねじ軸５の雄ねじ５ａにロック部材１０の雌ねじ１０ａが噛み合い状態にある。従って、ねじ軸５を回転させることにより、ねじのリード角で定まる回転角度に応じた軸方向変位量がねじ軸５に与えられる。
【００１８】
操作レバー６を押し上げて中心ボス１３を回転させると、軸方向に移動し得ない中心ボス１３側のカム山１７の斜面にスライドブロック８側のカム山１６が乗り上げるので、スライドブロック８が圧縮コイルばね９を押し縮めつつ左方へ移動する（図５参照）。このスライドブロック８の左方変位に伴われてスライドブロック８に一体結合したロック部材１０が左方へ変位する。
【００１９】
これにより、ロック部材１０の雌ねじ１０ａがねじ軸５の雄ねじ５ａから離れるので、ねじ軸５は自由になる。そこでねじ軸５の軸線方向位置を適宜にセットし、再び操作レバー６を戻せば、ロック部材１０が圧縮コイルばね９の押圧力によってその雌ねじ１０ａをねじ軸５の雄ねじ５ａに押し当てるので、ねじ軸５が軸線方向移動不能となってその位置が保持される。
【００２０】
この状態では、ねじ軸５を回転させれば、ねじのリード角に従ってねじ軸５が軸線方向に変位するので、通常の調節脚と同様の微調整を行うことができる。
【００２１】
上記の如き構成、つまり操作レバー６の回転軸をねじ軸５の軸線に直交させるものとすれば、ねじ軸５のロックを解除する操作力の方向が接地脚３に加わる荷重の方向と対向するので、高さ調節を行うために無駄な力を加える必要がなくなる。
【００２２】
また、カム機構１８を三角形の山１６・１７からなるものとすることにより、カム山の傾斜角度を変更するだけで、ねじ軸５に対するロック部材１０の押圧力を変えることなく、操作レバー６の操作ストロークを適切に設定することができる。
【００２３】
なお、図６並びに図７に示すように、各カム山１６・１７の頂部を切除して軸方向に直交する平担面１６ａ・１７ａを設け、操作レバー６を一杯回動させた時に互いのカム山の頂部の平坦面１６ａ・１７ａ同士が当接するようにすれば、操作レバー６から手を離してもスライドブロック８が押し戻されないので、ねじ軸５のフリー状態を維持し得る。操作レバー６を少し戻してカム山の頂部の平坦面１６ａ・１７ａ同士の当接を解除すれば、自然に両者の山と谷とがはまり合ってスライドブロック８が押し出される。
【００２４】
【発明の効果】
このように本発明によれば、脚部の軸線方向位置のロック状態とロック解除状態とを簡単な操作で選択することができるので、粗調整と微調整とを容易に切り替えることができることとなり、調節脚装置の使用性を向上する上に多大な効果を奏することができる。
【図面の簡単な説明】
【図１】本発明装置の全体斜視図
【図２】図１におけるII−II線に沿う断面図
【図３】図１におけるIII−III線に沿う断面図
【図４】ロック状態を示すカム機構の作動説明図
【図５】ロック解除状態を示すカム機構の作動説明図
【図６】別のカム機構のロック状態を示す作動説明図
【図７】別のカム機構のロック解除状態を示す作動説明図
【符号の説明】
１  調節脚装置
２  ケーシング
３  接地脚
４  縦孔
５  ねじ軸
６  操作レバー
７  ガイド孔
８  スライドブロック
９  圧縮コイルばね
１０  ロック部材
１２  水平軸
１３  中心ボス
１６  カム山（スライドブロック側）
１７  カム山（中心ボス側）
１８  カム機構
【図１】
0004620226.tif 000002
【図２】
0004620226.tif 000003
【図３】
0004620226.tif 000004
【図４】
0004620226.tif 000005
【図５】
0004620226.tif 000006
【図６】
0004620226.tif 000007
【図７】
0004620226.tif 000008